(57)【特許請求の範囲】
【請求項１】
座部体と背部体とを有する椅子において、
上記座部体の側部に一端が回動自在に連結されほぼ水平に倒伏したときに回動が規制される第１のリンクと、
上記背部体の側部に一端が回動自在に連結された第２のリンクと、
上記座部体の両側に設けられた一対のうちの少なくとも一方は前端部の下部が上記第１のリングの他端に回動自在に連結され前後方向中途部の上部が上記第２のリングの他端に回動自在に連結されていて、上記第１のリンクと第２のリンクとをそれぞれ一端を支点として前後方向に回動させることで上記座部体の側方に位置する前進位置と上記背部体の方向へ後退する後退位置との間で進退する肘掛け体と
を具備したことを特徴とする椅子。
【発明の詳細な説明】
【０００１】
【発明の属する技術分野】
この発明は肘掛け体を備えた椅子に関する。
【０００２】
【従来の技術】
一般に椅子は座部体と背部体とを有し、上記座部体の両側には利用者が着座した状態で肘の部分を載せることができる肘掛け体が設けられている。肘掛け体を備えていることで、利用者は着座時に腕が支えられるため、楽な姿勢を取ることができるという利点を有する。
【０００３】
しかしながら、肘掛け体を備えた椅子においては、利用者が着座したり、立ち上がる場合、肘掛け体が邪魔になるため、椅子を大きく後方へ移動させなければならないということがあり、不便であった。とくに、利用者が老人や身体の不自由な病人などの場合、座るときや立ち上がるときなど、椅子をずらすことは容易でなく、しかも椅子を十分にずらすことができず、上記肘掛け体に衣服を引っ掛けるなどして転倒するという虞もあった。
【０００４】
【発明が解決しようとする課題】
このように、着座した状態で楽な姿勢を取ることができるようにするために、椅子に肘掛け体を設けることが行なわれているが、その場合、肘掛け体があることで着座するときや立ち上がるときにその肘掛け体が邪魔になるということもあった。
【０００５】
この発明は上記事情に基づきなされたもので、その目的とするところは、利用者が着座したり、立ち上がるときには邪魔にならず、しかも着座した状態では腕をかけて利用することができる肘掛け体を備えた椅子を提供することにある。
【０００６】
【課題を解決するための手段】
請求項１の発明は、座部体と背部体とを有する椅子において、
上記座部体の側部に一端が回動自在に連結されほぼ水平に倒伏したときに回動が規制される第１のリンクと、
上記背部体の側部に一端が回動自在に連結された第２のリンクと、
上記座部体の両側に設けられた一対のうちの少なくとも一方は前端部の下部が上記第１のリングの他端に回動自在に連結され前後方向中途部の上部が上記第２のリングの他端に回動自在に連結されていて、上記第１のリンクと第２のリンクとをそれぞれ一端を支点として前後方向に回動させることで上記座部体の側方に位置する前進位置と上記背部体の方向へ後退する後退位置との間で進退する肘掛け体と
を具備したことを特徴とする。
【０００９】
請求項１の発明によれば、肘かけ体を第１のリンクと第２のリンクとによって座部体と背部体とに連結することで、前後方向に進退自在な構成としたから、簡単な構成で確実に肘かけ体を身体させることができる。
【００１０】
【発明の実施形態】
以下、この発明の一実施形態を図面を参照して説明する。
図４（ａ）〜（ｃ）に示す椅子は下端部が後脚２となった背フレ−ム１を有する。この背フレ−ム１はパイプ材や木材によってほぼ逆Ｕ字状に形成されていて、その両側辺の中途部には、同じくパイプ材や木材によってほぼＬ字状に形成されほぼ垂直な一端部が前脚３となった座フレ−ム４の水平な部分の他端が連結固定されている。
【００１１】
上記背部フレ−ム１の両側辺間の上部には背部体５が架設され、左右一対の座フレ−ム４の水平な部分の間には座部体６が架設されている。
上記座部体６の両側にはそれぞれパイプ材や木材をほぼＬ字状に形成してなる肘掛け体７が座部体６の前後方向に沿って進退自在に設けられている。すなわち、上記座フレ−ム４のほぼ水平な部分の長さ方向中途部の内面には図２（ｂ）に示すようにＬ字状の連結金具８の垂直な一辺が接合固定されている。この連結金具８の水平な他辺は座フレ−ム４の外面側に延出され、そこには断面がＵ字状で、側面が山形状の第１のブラケット９が固着されている。
【００１２】
上記第１のブラケット９には第１のリンク１１の一端が第１のピン１２によって回動自在に連結され、また内底面には上記第１のリンク１１が水平な状態に回動したときに上記第１のブラケット９と直接当たって衝突音を出すのを防止するゴムシ−ト１３が貼着されている。
【００１３】
上記第１のブラケット９は座部体６の前後方向に沿って所定の長さを有することで、上記第１のリンク１１は座部体６の前後方向に対してほぼ水平に倒伏したときにその一端部が上記第１のブラケット９の内定面に当接し、その回動角度が規制されるようになっている。つまり、第１のリンク１１は図１に実線と鎖線で示すほぼ１８０度の範囲で回動できるようになっている。
【００１４】
上記背フレ−ム１の両側の高さ方向中途部で、座部体６より所定距離上方の部分には、図１および図２（ａ）に示すように上記第１のリンク１１と同じ長さに設定された第２のリンク１３の一端が第２のピン１４によって回動自在に連結されている。
【００１５】
上記第１のリンク１１の他端は上記肘掛け体７の前端側の下端が第３のピン１５によって回動自在に連結され、上記第２のリンク１３の他端は上記肘掛け体７の上部の前後方向中途部に設けられた第２のブラケット１６に第４のピン１７によって回動自在に連結されている。
【００１６】
上記第１乃至第４のピン１２、１４、１５、１７の４つの軸芯を結ぶと、その形状は平行四辺形となる。したがって、上記肘掛け体７は、上記第１、第２のリンク１１、１３を回動させることで、図１に実線で示す座部体６の側方に位置する前進位置と、同図に鎖線で示す背部体５の方向へ後退する後退位置との間で進退させることができるようになっている。そして、前進位置と後退位置とでは、ほぼ水平となった第１のリンク１１の一端部が第１のブラケット９の内底面に当接してその回動が規制されることで、上記肘掛け体７がその位置で保持されることになる。
【００１７】
上記構成の椅子によれば、肘掛け体７は、図１あるいは図４（ｂ）に示すように、座部体６の側方に位置する前進位置と、図３あるいは図１に鎖線で示す後退位置との間で進退させることができる。
【００１８】
そのため、利用者が座部体６に着座したり、座部体６から立ち上がるような場合には、上記肘掛け体７を後退位置へ変位させる。それによって、上記肘掛け体７が利用者の邪魔になるようなことがほとんどないから、肘掛け体７に衣服を引っ掛けて転倒するようなことがなく、また椅子を後方へ大きく移動させなくても、着座したり、立ち上がることができるから、利用し易いということがある。
【００１９】
しかも、上記肘掛け体７を前進位置に位置させれば、座部体６に着座した利用者は上記肘掛け体７に腕をかけて楽な姿勢を取ることができる。
上記肘掛け体７を前後方向に進退させるために、第１のリンク１１と第２のリンク１３とからなるリンク機構を用いたことで、構成が簡単であるばかりか、上記肘掛け体７の進退操作も容易に行なうことができる。
【００２０】
この発明は上記実施形態に限定されず、発明の要旨を逸脱しない範囲で種々変形可能である。たとえば、上記一実施形態では肘掛け体を杆状部材によってほぼＬ字状に形成したが、その形状はなんら限定されず、たとえば矩形板状などであってもよく、要は前進位置において利用者が腕をかけて利用でき、後退位置において利用者が着座したり、立ち上がるのに邪魔にならない形状であればよい。
【００２１】
また、肘掛け体を進退自在に設ける機構としてはリンク機構に代わり、スライド機構などによって進退自在に設けるようにしてもよく、その点もなんら限定されるものでない。
【００２２】
さらに、上記一実施形態では座部体の両側に設けられる一対の肘掛け体を進退自在な構成としたが、利用状況などに応じてどちらか一方の肘掛け体だけを進退自在な構成としてもよい。
【００２４】
【発明の効果】
この発明によれば、肘かけ体を第１のリンクと第２のリンクとによって座部体と背部体とに連結することで、前後方向に進退できるようにした。
そのため、簡単な構成でありながら、肘かけ体を確実に進退させることができ、しかもその操作も容易である。
【図面の簡単な説明】
【図１】この発明の一実施形態を示す肘掛け体の部分を拡大した側面図。
【図２】（ａ）は同じく肘掛け体と第２のリンクとの連結構造の斜視図、（ｂ）は同じく第１のリンクとの連結構造の斜視図。
【図３】同じく肘掛け体を後退させた状態の椅子を示す側面図。
【図４】（ａ）は同じく椅子の正面図、（ｂ）は同じく側面図、（ｃ）は同じく平面図。
【符号の説明】
５…背部体
６…座部体
７…肘掛け体
１１…第１のリンク
１３…第２のリンク
【図１】
0003545884.tif 000002
【図２】
0003545884.tif 000003
【図３】
0003545884.tif 000004
【図４】
0003545884.tif 000005